(57)【特許請求の範囲】
【請求項１】
階層化伝送方式によるデジタル放送を受信するデジタル放送受信機における復調器において、ＴＭＣＣ信号とＴＭＣＣ信号に続く主信号との間に誤りがなく、かつたたみ込みの関係を維持した固定の擬似データを挿入する擬似データ挿入手段を備え、擬似データ挿入手段は復調回路で復調されたベースバンド信号Ｉをシリアル／パラレル変換するシリアル／パラレル変換器と、擬似データを発生する疑似パターン発生器と、シリアル／パラレル変換器の出力データと擬似パターン発生器から出力される擬似データとを多重化するセレクタとを有することを特徴とする復調器。
【請求項２】
請求項１記載の復調器において、シリアル／パラレル変換器の出力データを伝送レートの半分のレートで書き込み、伝送レートで読み出してセレクタへ出力するＦＩＦＯ回路を備えたことを特徴とする復調器。
【請求項３】
請求項２記載の復調器において、ＦＩＦＯ回路は少なくとも９６シンボルの容量を持つことを特徴とする復調器。
【発明の詳細な説明】
【０００１】
【発明の属する技術分野】
本発明は異なる複数の変調方式による被変調波が時間軸多重されて伝送されてくる階層化伝送方式による放送を受信するデジタル衛星放送受信機などに用いられる復調器に関する。
【０００２】
【従来の技術】
デジタル衛星放送では、所要Ｃ／Ｎの異なった複数の伝送方式、例えば８ＰＳＫ、ＱＰＳＫ、ＢＰＳＫが時間毎に組み合わされ、フレーム毎に繰り返し伝送されてくる階層化伝送方式が採用される。
【０００３】
かかる階層化伝送方式によるディジタル被変調波を受信するデジタル衛星放送受信機においては、復調されたベースバンド信号よりフレーム同期信号を捕捉し、捕捉したフレーム同期信号のタイミングから、伝送された信号を復調するために必要な主信号の伝送に関する最も基本的な情報、例えば変調方式や、誤り訂正の方式などを示すための伝送多重制御信号であるＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号の位置、バースト信号の位置を判別することによって復調が可能となる。
【０００４】
連続的にたたみ込み符号化されているＴＭＣＣ信号はＢＰＳＫ、たたみ込み符号化の符号化率ｒ＝１／２であることがあらかじめ決められている。しかし、ＴＭＣＣ信号が復号されるまでは、ＴＳデータ（以下、主信号、または単にＴＳとも記す）の変調方式、符号化方式（たたみ込み符号化の符号化率）は不明であるため、まず、ＴＭＣＣ信号のみをビタビ復号してからそれをＴＭＣＣデコーダにて復号し、変調波の多重構成、ＴＭＣＣ信号に続くＴＳデータの変調方式、符号化方式を読み取って初めてＴＭＣＣ信号、ＴＳデータを含めたフレーム全体のビタビ・トレリス復号が可能となる。
【０００５】
この種の従来の復調器は図４に示すように構成されている。図４において、復調回路１は受信したディジタル被変調波を所定の中間周波数に周波数変換した中間周波信号を入力とし、例えば量子化ビット数６ビットのベースバンド信号Ｉ（６）、Ｑ（６）(以下、ビット数を省略してＩ、Ｑとも記す。また、他の信号についても同様にビット数を省略して記す)を送出する。
【０００６】
送出されたベースバンド信号Ｉ、Ｑは、フレーム同期信号を捕捉するための同期捕捉回路２に入力され、同期捕捉回路２において捕捉されたフレーム同期信号が一定のフレーム間隔毎に繰り返し受信されることが確認されたときフレーム同期が取れていると判断され、フレーム周期毎にフレームパルスを出力する。
【０００７】
フレームパルスは、後段の回路で必要なタイミング信号および制御信号を生成するタイミング生成回路３に入力され、タイミング生成回路３からＴＭＣＣイネーブル信号（以下、ＴＭＣＣＥＮＡとも記す）、ＶＡＬＩＤ信号、３ビットのレート（ＲＡＴＥ）信号および選択信号（以下、選択信号を単にＳ信号とも記す）を送出する。
【０００８】
ＴＭＣＣイネーブル信号は、誤り訂正の施されたＴＭＣＣ信号がビタビ・トレリスデコーダ４から出力されている期間高電位となるとなるゲート信号であって、ＴＭＣＣイネーブル信号が高電位の期間、ＴＭＣＣデコーダ５の入力ゲートが開き、ビタビ復号されたＴＭＣＣ信号がＴＭＣＣデコーダ５に入力される。
【０００９】
ＶＡＬＩＤ信号はキャリア再生を容易にするための２０３シンボルのＴＳデータに対して４シンボルの割合で挿入されて伝送されてくるバーストシンボル信号（単に、ＢＳ信号とも記す）区間のみ低電位にとなる信号であり、ＶＡＬＩＤ信号が低電位の期間はビタビ・トレリスデコーダ４の入力ゲートは閉ざされ、バースト信号が除去される。
【００１０】
Ｓ信号はＴＭＣＣ信号の期間のみ高電位となる信号である。ＲＡＴＥ信号は変調方式と符号化率とに基づいて割り付けた信号である。
【００１１】
また、ＴＭＣＣデコーダ５においてＴＭＣＣ信号に対して所定の復号が行われ、多重構成、ＴＳデータの変調方式、符号化方式等の情報であるＴＭＣＣがタイミング生成回路３に戻される。タイミング生成回路３ではこのＴＭＣＣ信号に基づいて、ＲＡＴＥ信号の生成が可能となる。
【００１２】
一方、ベースバンド信号Ｉ、Ｑはセレクタ６にも供給される。セレクタ６にはベースバンド信号Ｉ、Ｑと、Ｉ信号を入力としそれをシリアル／パラレル変換するＳ／Ｐ変換器７によってパラレル変換されたベースバンド信号Ｉａ、ＱａとがＳ信号によって選択されて出力される。セレクタ６からの出力をベースバンド信号Ｉｂ、Ｑｂとする。
【００１３】
ベースバンド信号Ｉｂ、Ｑｂはビタビ・トレリスデコーダ４に入力され、ビタビ・トレリスデコーダ４ではベースバンド信号Ｉｂ、Ｑｂの変調方式、符号化方式の識別信号であるＲＡＴＥ信号を受けてそれに応じた復号を行う。復号されたデータはＴＭＣＣ信号の先頭よりバイト単位にシリアル／バイト変換され、バイト毎にＴＭＣＣデコーダ５および後段の回路に出力される。
【００１４】
セレクタ６の選択信号であるＳ信号と、ビタビ・トレリスデコーダ４の復号動作を制御するＲＡＴＥ信号について図５および図６を用いて説明する。
【００１５】
Ｓ信号は図５に示す様にベースバンド信号Ｉ、ＱがＢＰＳＫ、ｒ＝１／２の区間高電位となる信号である。したがって、ＴＭＣＣ信号区間は常に高電位となる。ＢＰＳＫ、ｒ＝１／２の信号が常にシリアル／パラレル変換されるのは、送信側のたたみ込み符号化器において、１ビットの入力に対してパラレルに出力される２ビットのＣ０、Ｃ１のうち、ＢＰＳＫ、ｒ＝１／２の場合はＣ０を先頭にパラレル／シリアル変換され、Ｉ軸上にマッピングされて送出されるため、受信側においてはこれとは逆の動作によって復号する必要があるためである。
【００１６】
一方、ＲＡＴＥ信号はビタビ・トレリスデコーダ４の復号動作を制御する。図５に示されるように、変調方式、符号化方式（復号方式）を示している．ＲＡＴＥ＝０００はＢＰＳＫ、ｒ＝１／２を示す。また、ＲＡＴＥ＝００１はＱＰＳＫ、ｒ＝１／２を示す。
【００１７】
ただし、ＢＰＳＫ、ｒ＝１／２は前記の様にシリアル／パラレル変換された後ではビタビ復号する際にＱＰＳＫ、ｒ＝１／２と同等に扱えるが、シリアル／パラレル変換後のレートはＱＰＳＫ、ｒ＝１／２と比べて半分であるところが異なる。またＲＡＴＥ＝０１０〜１０１の変調方式はＱＰＳＫであるが、パンクチャ符号化によって符号化率が異なっている。この場合はＲＡＴＥ、つまり符号化率に応じたデパンクチャ復号処理がビタビ・トレリスデコーダ４内において行われる。また、ＲＡＴＥ＝１１０はＴＣ（ＴＣはトレリスコードを示す。）８ＰＳＫ、ｒ＝２／３を意味し、トレリス復号される。
【００１８】
図６は図４に示した従来例におけるそれぞれの信号について、１フレーム分記載してある。図６（Ａ）はフレームパルスを示し、フレーム同期が確定後フレーム間隔毎に同期捕捉回路２から出力される。図６（Ｂ）は復調されたベースバンド信号Ｉ、Ｑを示し、一例として、ＴＭＣＣ信号に続いてＴＣ８ＰＳＫの主信号、ＱＰＳＫ、ｒ＝１／２の主信号が多重された構成を示している。
【００１９】
図６（Ｃ）はＳ信号を示し、ＢＰＳＫ、ｒ＝１／２の部分が高電位となる。本例ではＢＰＳＫ、ｒ＝１／２で伝送される主信号はないのでＴＭＣＣ信号区間のみが高電位となっている。図６（Ｄ）はＲＡＴＥ信号を示し、ＴＭＣＣ信号区間は０００、ＴＣ８ＰＳＫの主信号区間は１１０、ＱＰＳＫ、ｒ＝１／２の主信号区間は００１である。
【００２０】
【発明が解決しようとする課題】
しかしながら、ＴＭＣＣ信号に続く主信号の変調方式、符号化方式は、ＴＭＣＣ信号を復号してはじめて識別、制御可能となる。したがって、ＴＭＣＣ信号の解読以前は、ＴＭＣＣ信号区間のみビタビ復号する必要がある。
【００２１】
また、図６（Ｅ）、（Ｆ）、（Ｇ）はＴＭＣＣ信号復号前の復調されたベースバンド信号Ｉ、Ｑ、Ｓ信号、ＲＡＴＥ信号それぞれのタイミング図である。ＴＭＣＣ信号区間のＳ信号は高電位、またＲＡＴＥ信号は０００であること以外は不明である。
【００２２】
ＴＭＣＣ信号とこの不明区間を伴ったストリームをビタビ復号すると、次のような問題が生じる。図７はビタビ復号の概念を示したものである。図７（Ａ）はＴＭＣＣ信号の９６シンボル（シリアル／パラレル変換後、１９２シンボルのＴＭＣＣ信号は９６シンボルのＱＰＳＫシンボルと等しくなる）がパスメモリに蓄えられ、続くＴＣ８ＰＳＫの主信号データが入力される様子を示している。パスメモリ長は現在９６シンボル程度が主流であるため、図７（Ｂ）に示すように、主信号が入力されると次第にＴＭＣＣ信号は復号されて出力される。
【００２３】
しかし主信号の変調、符号化方式が不明の場合は、入力されるデータはノイズと等しいため、図７（Ｃ）および（Ｄ）のように誤り訂正するためのパスメモリのデータにノイズ成分が徐々に蓄積されると復号し、押し出されるＴＭＣＣ信号データは信頼性のないものとなってしまう。また、ＴＭＣＣ信号が復号される以前の問題だけでなく、例えば主信号としてＴＣ８ＰＳＫを受信している際に受信Ｃ／Ｎが低下し、ＴＣ８ＰＳＫに対して誤り訂正が有効なＣ／Ｎを下回ったような場合もＴＣ８ＰＳＫのデータはノイズと等しくなるため、ＴＭＣＣ信号の復号に対して信頼性が低下するという問題点がある。
【００２４】
本発明は、ＴＭＣＣ信号の復号に対して信頼性を向上させた復調器を提供することを目的とする。
【００２５】
【課題を解決するための手段】
本発明にかかる復調器は、階層化伝送方式によるデジタル放送を受信するデジタル放送受信機における復調器において、ＴＭＣＣ信号とＴＭＣＣ信号に続く主信号との間に誤りがなく、かつたたみ込みの関係を維持した固定の擬似データを挿入する擬似データ挿入手段を備え、擬似データ挿入手段は復調回路で復調されたベースバンド信号Ｉをシリアル／パラレル変換するシリアル／パラレル変換器と、擬似データを発生する疑似パターン発生器と、シリアル／パラレル変換器の出力データと擬似パターン発生器から出力される擬似データとを多重化するセレクタとを有することを特徴とする。
【００２６】
本発明の復調器によれば、ＴＭＣＣ信号とＴＭＣＣ信号に続く主信号との間に、誤りのない固定データが挿入されて、ビタビ復号することで、主信号データが不定であっても、また低Ｃ／Ｎ下においてノイズ同様となった場合においてもＴＭＣＣ信号が確実に誤り訂正可能となり、さらに連続したＢＰＳＫ、ｒ＝１／２を復号する場合よりもビタビ復号後の誤り率が改善されて、信頼性が向上する。
【００２７】
【発明の実施の形態】
以下、本発明にかかる復調器を実施の形態によって説明する。
【００２８】
図１は本発明の実施の一形態にかかる復調器の構成を示すブロック図である。
【００２９】
本発明の実施の一形態にかかる復調器は、図１に示すように、図４に示した従来例の復調器に、新たに、あらかじめＱＰＳＫ変換しかつ畳込みの関係を維持した関連固定データである擬似パターンの擬似データＩＰ、ＱＰを発生する擬似パターン発生器８と、Ｓ／Ｐ変換器７においてシリアル／パラレル変換（ＱＰＳＫ変換）されて、伝送シンボルレートの半分のレートとなった９６シンボルのＴＭＣＣ信号を蓄え、２倍の伝送シンボルレートで読み出すためのメモリであるＦＩＦＯ回路９とを備えている。図１において、Ｓ／Ｐ変換器７の出力データをＩＡ、ＱＡで示してある。
【００３０】
本発明の実施の一形態にかかる復調器は、さらに、擬似パターン発生器８の出力ＩＰ、ＱＰとＦＩＦＯ回路９の出力ＩＢ、ＱＢとを多重化するためのセレクタ６Ｂと、ＢＰＳＫで変調された主信号部分はＳ／Ｐ変換器７の出力をベースバンド信号ＩＣ、ＱＣとして出力し、かつそれ以外の変調方式のデータ部分についてはベースバンド信号Ｉ、Ｑをベースバンド信号ＩＣ、ＱＣとして出力するセレクタ６Ａと、ベースバンド信号ＩＣ、ＱＣを所定時間遅延させて、セレクタ６の入力端におけるセレクタ６Ｂの出力とセレクタ６Ａの出力との入力タイミングを合わせるディレイ回路１１とを備えている。
【００３１】
また、タイミング生成回路３に代わって、タイミング生成回路３Ａを備えている。タイミング生成回路３Ａは、タイミング生成回路３からの出力と同一の出力のほかに、セレクタ６Ａのための選択信号ＳＡ、セレクタ６Ｂのための選択信号ＳＢ、ＦＩＦＯ回路９の書き込みのためのゲート信号ＦＩＦＯ−Ｉ、ＦＩＦＯ回路９からの読み出しのためのゲート信号ＦＩＦＯ−Ｏが制御信号としてそれぞれ追加されている。
【００３２】
本発明の実施の一形態にかかる復調器の作用に説明に先立って、まず図２を用いてＴＭＣＣ信号のフォーマット変換について説明する。
【００３３】
図２（Ａ）はＴＭＣＣ信号区間のシンボルストリームを示している。キャリア再生捕捉を容易にするために挿入された４シンボルのバースト信号（ＢＳ信号）に続いて、送信側でコード１Ｂ９５ｈ（以下、ｈはヘキサデシマルであることを示す）をたたみ込み符号化器でたたみ込み、ＢＰＳＫマッピングして生成された３２シンボルの斜線で示したストリームが伝送されてくる。このストリームのうち前部１２シンボルは、それ以前のＴＳデータの内容によって異なるが、後部２０シンボルはＥＣＤ２８ｈという固定信号となり、フレーム同期用に利用可能である。
【００３４】
この後部２０シンボルは伝送フレーム同期用の同期ワードであり、ｗ１と呼んでいる。ｗ１に続いてＴＭＣＣ信号の内容１２８シンボルが伝送され、その後コードＡ３４０ｈ、または５ＣＢＦｈをたたみ込み符号化器でたたみ込み、ＢＰＳＫマッピングして生成された３２シンボルのストリームが伝送されてくる（クロス斜線部分）。このクロス斜線部分の前１２シンボルは、ＴＭＣＣ信号の内容によって異なるが、クロス斜線部分の後部２０シンボルは０Ｂ６７７ｈ、またはＦ４９８８ｈという固定信号となる。
【００３５】
ここで、０Ｂ６７７ｈはスーパーフレームの先頭フレーム識別用の同期ワードであり、ｗ２と呼ばれている。Ｆ４９８８はスーパーフレームの２番目から８番目フレーム識別用の同期ワードであり、Ｗ２の論理反転に等しくｗ３と呼ばれている。したがって、ｗ２は８つのフレームで形成されるスーパーフレームの先頭を示すスーパーフレーム識別信号として用いられる。スーパーフレームの内、２番目〜８番目のフレームにおいてはｗ３が伝送される。
【００３６】
本発明の擬似データの挿入は、ｗ２／ｗ３と、続くＴＳデータの間で行われる。本実施の一形態では擬似データを全て０とする。ただし、ｗ２／ｗ３から固定データに移る１２シンボル部分と、固定データからＴＳデータに移る１２シンボル部分ではたたみ込みの関係が壊されないよう、あらかじめ計算したデータを挿入する。これらのデータをここでは関連固定データと記す。
【００３７】
次にこれら関連固定データの算出法について説明する。これにはたたみ込み符号化に用いられる業界標準の拘束長ｋ＝７、生成多項式１７１、１３３（Octal）の符号化器と、この符号化器の出力Ｃ０、Ｃ１をＣ０を先頭にパラレル／シリアル変換するパラレル／シリアル変換器を用いる。
【００３８】
たとえば、ｗ２／ｗ３に続く関連固定データは、ｗ２／ｗ３を生成する基のデータＡ３４０ｈ、または５ＣＢＦｈの後ろに全て０のデータを付加してたたみ込み符号化し、パラレル／シリアル変換すると、０Ｂ６７７ｈ、またはＦ４９８８ｈに続いて０００ｈ、または２６Ｂｈが生成される。
【００３９】
これらより後のデータは全て０である。したがって、０００ｈ、または２６Ｂｈが先頭の１２シンボルの関連固定データとなる。後方の関連固定データは同様に、十分長い全て０のデータの後にｗ２／ｗ３を生成する基のデータＡ３４０ｈ、または５ＣＢＦｈを付けて符号化し、パラレル／シリアル変換すると、０Ｂ６７７ｈ、またはＦ４９８８ｈの前にＥ１Ｅｈ、または３８Ａｈが生成される。これが後方の関連固定データとなる。
【００４０】
したがって、擬似データは、図２（Ｂ）に拡大して示したように、前方関連固定データ０００ｈ、または２６Ｂｈ（１２シンボル）＋固定データ０（１４８シンボル）＋後方関連固定データＥ１Ｅｈ、または３８Ａｈ（１２シンボル）＋ｗ２、またはｗ３（２０シンボル）の合計１９２シンボルにより構成される。この疑似データがＴＳデータの前に挿入される。
【００４１】
ＢＰＳＫ、ｒ＝１／２で符号化、変調された１９２シンボルのＴＭＣＣ信号は、シリアル／パラレル変換された後は前記のように９６シンボルのＱＰＳＫ、ｒ＝１／２のストリームとなる。したがって、擬似パターンも同様に、ＢＰＳＫ、ｒ＝１／２で符号化された１９２シンボルのストリームとすれば、シリアル／パラレル変換された後は同様に９６シンボルのＱＰＳＫ、ｒ＝１／２のストリームに等しい。
【００４２】
したがって、通常のＴＭＣＣ信号の復号レート（通常はシリアル／パラレル変換後は１／２のレートとなる）ではなく、その２倍のレート（伝送シンボルレートクロック）で復号すれば、パラレル変換後のＴＭＣＣ信号（９６シンボル）＋擬似データ（９６シンボル）は、所定時間内（１９２シンボルのＴＭＣＣ信号受信時間）で復号可能となる。
【００４３】
図２（Ｃ）は、シリアル／パラレル変換後のＴＭＣＣ信号＋擬似データを１／２時間に圧縮した例である。擬似データは伝送路を通らない信号であることから、ＴＭＣＣ信号に続くデータの信頼性は、最も高いと言える。したがって、ＴＳデータの変調方式が不明であっても、またはノイズであってもＴＭＣＣ信号は復号可能であり、さらに、通常のＢＰＳＫ、ｒ＝１／２よりも符号化利得が大きくなるという利点もある。
【００４４】
次に、図１に示した本発明の実施の一形態にかかる復調器の作用を図３に示すタイミングチャートにしたがって説明する。
【００４５】
図３（Ａ）はフレームパルスを示し、従来とおりフレーム同期が確定後フレーム間隔毎に同期捕捉回路２から出力される。図３（Ｂ）は復調されたベースバンド信号Ｉ、Ｑを示し、Ｉ軸上にマッピングされ伝送されてくるＢＰＳＫ信号をシリアル／パラレル変換するために常にベースバンド信号ＩはＳ／Ｐ変換器７に入力されている。
【００４６】
Ｓ／Ｐ変換器７によってパラレル変換され、ＱＰＳＫシンボルとなったＴＭＣＣ信号の９６シンボルは、ＦＩＦＯ回路９にゲート信号ＦＩＦＯ−Ｉが高電位の時に伝送シンボルレートの半分のレートで書き込まれる。また、ＦＩＦＯ回路９に書き込まれたＴＭＣＣ信号の９６シンボルは、ＦＩＦＯ回路９から、ゲート信号ＦＩＦＯ−Ｏが高電位期間に伝送シンボルレートで読み出されて、セレクタ６Ｂに送出される。
【００４７】
ＦＩＯＦＯ回路９への書き込みのレートに比べ、ＦＩＯＦＯ回路９からの読み出しのレートが倍であることから、９６ＱＰＳＫシンボルのＴＭＣＣ信号期間の内、約半分の４８シンボルが書き込まれた時点から読み出しを開始すればＦＩＦＯ回路９の回路規模を最小にすることができる。したがって、必要なＦＩＦＯ回路の容量は４８シンボルになる。
【００４８】
前記のように擬似パターン発生器８からは９６シンボルのＱＰＳＫ化されたシンボルである関連固定データが発生される。レートは伝送シンボルレートで、疑似パターン発生器８からは、関連固定データが選択信号ＳＢの立ち上がりから発生を開始し、高電位の期間発生を続ける。
【００４９】
選択信号ＳＢが高電位のときは同時にセレクタ６Ｂが擬似パターン発生器８から出力された信号を出力するので、セレクタ６Ｂからの出力は図３（Ｆ）に示すように時間圧縮されたＴＭＣＣ信号と擬似パターンとが時分割多重された構成となる。また、セレクタ６ではこのベースバンド信号Ｉａ、Ｑａとセレクタ６Ａの出力をデイレイ回路１１で遅延させられたベースバンド信号ＩＤ、ＱＤとが入力されて、選択信号Ｓが高電位の期間はＩａ、Ｑａが選択されて出力されることから、セレクタ６の出力Ｉｂ、Ｑｂａは図３（Ｈ）に示すようになる。
【００５０】
このとき、ディレイ回路１１のディレイは９６シンボル分である。また、セレクタ６Ａは選択信号ＳＡが高電位のときにＳ／Ｐ変換器７の出力ＩＡ、ＱＡが選択されて出力されるが、選択信号ＳＡはＢＰＳＫ、ｒ＝１／２で伝送される主信号区間のみ高電位にとされることから、図３の例においては常に低電位であり、ベースバンド信号Ｉ、Ｑが選択され、出力されている。
【００５１】
しかるに、ビタビ復号はその訂正方式から、その訂正能力は復号するデータより時系列的に前に入力されたデータよりは、むしろ後に入力されるパスメモリ長に等しいデータの信頼性に大きく依存することは周知の事実である。したがって、ＴＭＣＣ信号に続くデータの信頼性の向上が望まれるが、ＴＭＣＣ信号の復号以前や、低Ｃ／Ｎのもとでは前記したようにノイズ同様となることから、まったく信頼性のないデータが入力されることになる。
【００５２】
しかるに、本発明の実施の一形態にかかる復調器においては、ＴＭＣＣ信号の後に、たたみ込みされた時系列的な関係を維持した擬似データを、ＴＭＣＣ信号のビタビ復号前で挿入し、ビタビ復号後に除去することによって、これらの問題が解決される。
【００５３】
関連固定データ長はパスメモリ以上（９６シンボル）以上であることが望ましい。本発明の実施の一形態にかかる復調器では、擬似データ挿入後のＴＭＣＣ信号期間＋擬似データ期間の時間が、受信したＴＭＣＣ信号期間の時間（１９２シンボル期間）と同じになるように、擬似データ長をＱＰＳＫシンボルで９６シンボルとした。これはビタビ復号器の入力部まで伝送シンボルレートクロックを用いることを前提としたためであるが、それより高速のクロックを用いることにより９６シンボル以上の擬似データを付加することが可能である。
【００５４】
さらに、ＴＭＣＣ信号の直後だけでなく、直前にも本発明の実施の一形態において説明したような擬似データを付加することによって、更に若干の符号化利得の向上が見込まれる。
【００５５】
【発明の効果】
以上説明したように本発明にかかる復調器によれば、ＴＭＣＣ信号に続く主信号との間に、誤りのない固定データを挿入し、ビタビ復号することで、主信号データが不定であっても、また低Ｃ／Ｎ下においてノイズ同様となった場合においてもＴＭＣＣ信号が確実に誤り訂正可能となり、さらに連続したＢＰＳＫ、ｒ＝１／２を復号する場合よりもビタビ復号後の誤り率が改善できて、信頼性が向上するという効果が得られる。
【図面の簡単な説明】
【図１】本発明の実施の一形態にかかる復調器の構成を示すブロック図である。
【図２】本発明の実施の一形態にかかる復調器におけるＴＭＣＣ信号のフォーマット変換の説明図である。
【図３】本発明の実施の一形態にかかる復調器の作用の説明に供するタイミング図である。
【図４】従来の復調器の構成を示すブロック図である。
【図５】復調器における制御信号の真理値表である。
【図６】従来の復調器の作用の説明に供するタイミング図である。
【図７】ビタビ復号の概念説明図である。
【符号の説明】
１  復調器
２  同期捕捉回路
３および３Ａ  タイミング生成回路
４  ビタビ・トレリスデコーダ
５  ＴＭＣＣデコーダ
６、６Ａ、６Ｂ  セレクタ
７  Ｓ／Ｐ変換器
８  擬似パターン発生器
９  ＦＩＦＯ回路
１１  ディレイ回路
【図１】
0003645721.tif 000002
【図２】
0003645721.tif 000003
【図３】
0003645721.tif 000004
【図４】
0003645721.tif 000005
【図５】
0003645721.tif 000006
【図６】
0003645721.tif 000007
【図７】
0003645721.tif 000008